【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
記憶媒体を読み取る読取部を備えるプリンタと、印刷データをユーザ識別情報と対応付けて管理する印刷管理サーバがネットワークを介して接続する印刷システムであって、
前記プリンタは、
記憶媒体の所定の領域を読み取ることによって得られるユーザを特定するためのユーザ識別情報を、前記印刷管理サーバに送信するユーザ識別情報送信手段を備え、
前記印刷管理サーバは、
ユーザ識別情報と、前記ユーザ識別情報に対応付く携帯端末を特定する情報とを管理する管理手段と、
前記ユーザ識別情報を前記プリンタから受信するユーザ識別情報受信手段と、
前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、
前記印刷データ識別情報を含む一覧情報を送信した携帯端末から、印刷指示された印刷データ識別情報を受信する印刷要求受信手段と、
前記印刷要求受信手段により、前記印刷指示された印刷データ識別情報を受信した後で、前記プリンタから再度、ユーザ識別情報を受信するべく待機する待機手段と、
前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段と
を備えることを特徴とする印刷システム。
【請求項２】
前記管理手段は、前記ユーザ識別情報と前記携帯端末と、前記ユーザ識別情報を受信したプリンタとを対応付けて管理することを特徴とし、
前記印刷データ出力命令手段は、前記待機手段で待機中に、前記ユーザ識別情報受信手段により前記管理手段で管理するプリンタから再度ユーザ識別情報を受信することで、前記印刷データ識別情報に対応する印刷データの出力命令をすることを特徴とする請求項１に記載の印刷システム。
【請求項３】
前記記憶媒体は、携帯端末に備え、
前記ユーザ識別情報送信手段は、前記携帯端末が前記読取部にかざされることで得られるユーザ識別情報を前記印刷管理サーバに送信し、
前記印刷データ出力命令手段は、前記ユーザ識別情報受信手段により、前記携帯端末が再度前記読取部にかざされることで得られるユーザ識別情報を、前記プリンタから受信することで前記印刷データ識別情報に対応する印刷データの出力命令をすることを特徴とする請求項１又は２に記載の印刷システム。
【請求項４】
前記待機手段は、前記印刷指示された印刷データ識別情報に対応する印刷データの印刷準備をし、
前記印刷データ出力命令手段は、前記印刷準備した印刷データの出力命令をすることを特徴とする請求項１乃至３のいずれか１項に記載の印刷システム。
【請求項５】
前記印刷準備は、前記プリンタに送信する印刷データを生成することであり、
前記印刷管理サーバは、
前記印刷データ出力命令手段で出力命令する印刷データの生成が完了した状態である旨をプリンタと携帯端末との少なくとも一つに通知する印刷準備通知手段を備えること
を特徴とする請求項４に記載の印刷システム。
【請求項６】
前記印刷管理サーバは、
前記プリンタに表示部があるか否かを判定する第１の判定手段を備え、
前記一覧情報送信手段は、前記第１の判定手段により前記プリンタに表示部があると判定された場合、前記印刷データの印刷データ識別情報を含む一覧情報を前記プリンタに送信し、前記表示部がないと判定された場合、前記印刷データの印刷データ識別情報を含む一覧情報を前記携帯端末に送信することを特徴とする請求項１乃至５のいずれか１項に記載の印刷システム。
【請求項７】
前記管理手段は、ユーザ識別情報に対応する携帯端末の携帯端末識別情報を管理し、
前記印刷管理サーバは、
前記携帯端末の携帯端末識別情報に従って、前記携帯端末に前記印刷データの印刷データ識別情報を含む一覧情報を送信するか否かを判定する第２の判定手段を備え、
前記一覧情報送信手段は、前記第２の判定手段で携帯端末に送信すると判定される場合には、前記印刷データの印刷データ識別情報を含む一覧情報を前記携帯端末識別情報の携帯端末に送信することを特徴とする請求項６に記載の印刷システム。
【請求項８】
前記印刷データ出力命令手段は、前記第１の判定手段で前記プリンタに表示部がないと判定され、前記第２の判定手段で前記携帯端末に送信しないと判定される場合、前記一覧情報送信手段で一覧情報を送信することなく、前記ユーザ識別情報に対応付けられている印刷データの出力命令をすることを特徴とする請求項７に記載の印刷システム。
【請求項９】
前記印刷管理サーバは、
未出力の印刷データの数をプリンタと携帯端末との少なくとも一つに通知する未出力印刷データ数通知手段を備えることを特徴とする請求項１乃至８のいずれか１項に記載の印刷システム。
【請求項１０】
前記印刷管理サーバは、
前記印刷データ出力命令手段は、前記プリンタで前記記憶媒体の所定の領域を読み取るたびに、前記ユーザ識別情報受信手段でユーザ識別情報を受信し、当該ユーザ識別情報を受信するたびに、印刷指示された印刷データ識別情報に対応する印刷データの出力命令をすることを特徴とする請求項１乃至９のいずれか１項に記載の印刷システム。
【請求項１１】
前記印刷管理サーバは、
前記待機手段で待機中に、前記ユーザ識別情報受信手段により再度ユーザ識別情報を受信した場合に、当該受信したプリンタと、先に前記ユーザ識別情報受信手段でユーザ識別情報を受信したプリンタとが一致するか否かを判定するプリンタ判定手段とを備え、
前記印刷データ出力命令手段は、前記プリンタ判定手段で一致しないと判定される場合に、前記ユーザ識別情報受信手段により再度ユーザ識別情報を受信したプリンタを出力先として、印刷指示された印刷データ識別情報に対応する印刷データの出力命令をすることを特徴とする請求項１乃至１０のいずれか１項に記載の印刷システム。
【請求項１２】
記憶媒体を読み取る読取部を備え、記憶媒体の所定の領域を読み取ることによって得られるユーザを特定するためのユーザ識別情報を送信するプリンタとネットワークを介して接続する、印刷データをユーザ識別情報と対応付けて管理する印刷管理サーバであって、
ユーザ識別情報と、前記ユーザ識別情報に対応付く携帯端末を特定する情報とを管理する管理手段と、
前記ユーザ識別情報を前記プリンタから受信するユーザ識別情報受信手段と、
前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、
前記印刷データ識別情報を含む一覧情報を送信した携帯端末から、印刷指示された印刷データ識別情報を受信する印刷要求受信手段と、
前記印刷要求受信手段により、前記印刷指示された印刷データ識別情報を受信した後で、前記プリンタから再度、ユーザ識別情報を受信するべく待機する待機手段と、
前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段と
を備えることを特徴とする印刷管理サーバ。
【請求項１３】
記憶媒体を読み取る読取部を備えるプリンタと、印刷データをユーザ識別情報と対応付けて管理する印刷管理サーバがネットワークを介して接続する印刷システムの制御方法であって、
前記プリンタが、
記憶媒体の所定の領域を読み取ることによって得られるユーザを特定するためのユーザ識別情報を、前記印刷管理サーバに送信するユーザ識別情報送信ステップを実行し、
前記印刷管理サーバが、
ユーザ識別情報と、前記ユーザ識別情報に対応付く携帯端末を特定する情報とを管理する管理ステップと、
前記ユーザ識別情報を前記プリンタから受信するユーザ識別情報受信ステップと、
前記ユーザ識別情報受信ステップで受信したユーザ識別情報に対応付けられている印刷データの印刷データ識別情報を含む一覧情報を、前記ユーザ識別情報受信ステップで受信したユーザ識別情報と前記管理ステップで管理するユーザ識別情報に従って、前記携帯端末を特定する情報に対応する携帯端末に送信する一覧情報送信ステップと、
前記印刷データ識別情報を含む一覧情報を送信した携帯端末から、印刷指示された印刷データ識別情報を受信する印刷要求受信ステップと、
前記印刷要求受信ステップにより、前記印刷指示された印刷データ識別情報を受信した後で、前記プリンタから再度、ユーザ識別情報を受信するべく待機する待機ステップと、
前記待機ステップで待機し、前記ユーザ識別情報受信ステップにより再度ユーザ識別情報を受信した場合に、前記印刷要求受信ステップで受信した印刷データ識別情報に対応する印刷データを前記プリンタで印刷すべく、出力命令する印刷データ出力命令ステップと
を実行することを特徴とする制御方法。
【請求項１４】
記憶媒体を読み取る読取部を備え、記憶媒体の所定の領域を読み取ることによって得られるユーザを特定するためのユーザ識別情報を送信するプリンタとネットワークを介して接続する、印刷データをユーザ識別情報と対応付けて管理する印刷管理サーバの制御方法であって、
印刷管理サーバが、
ユーザ識別情報と、前記ユーザ識別情報に対応付く携帯端末を特定する情報とを管理する管理ステップと、
前記ユーザ識別情報を前記プリンタから受信するユーザ識別情報受信ステップと、
前記ユーザ識別情報受信ステップで受信したユーザ識別情報に対応付けられている印刷データの印刷データ識別情報を含む一覧情報を、前記ユーザ識別情報受信ステップで受信したユーザ識別情報と前記管理ステップで管理するユーザ識別情報に従って、前記携帯端末を特定する情報に対応する携帯端末に送信する一覧情報送信ステップと、
前記印刷データ識別情報を含む一覧情報を送信した携帯端末から、印刷指示された印刷データ識別情報を受信する印刷要求受信ステップと、
前記印刷要求受信ステップにより、前記印刷指示された印刷データ識別情報を受信した後で、前記プリンタから再度、ユーザ識別情報を受信するべく待機する待機ステップと、
前記待機ステップで待機し、前記ユーザ識別情報受信ステップにより再度ユーザ識別情報を受信した場合に、前記印刷要求受信ステップで受信した印刷データ識別情報に対応する印刷データを前記プリンタで印刷すべく、出力命令する印刷データ出力命令ステップと
を実行することを特徴とする制御方法。
【請求項１５】
記憶媒体を読み取る読取部を備えるプリンタと、印刷データをユーザ識別情報と対応付けて管理する印刷管理サーバがネットワークを介して接続する印刷システムのプログラムであって、
前記プリンタを、
記憶媒体の所定の領域を読み取ることによって得られるユーザを特定するためのユーザ識別情報を、前記印刷管理サーバに送信するユーザ識別情報送信手段として機能させ、
前記印刷管理サーバを、
ユーザ識別情報と、前記ユーザ識別情報に対応付く携帯端末を特定する情報とを管理する管理手段と、
前記ユーザ識別情報を前記プリンタから受信するユーザ識別情報受信手段と、
前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、
前記印刷データ識別情報を含む一覧情報を送信した携帯端末から、印刷指示された印刷データ識別情報を受信する印刷要求受信手段と、
前記印刷要求受信手段により、前記印刷指示された印刷データ識別情報を受信した後で、前記プリンタから再度、ユーザ識別情報を受信するべく待機する待機手段と、
前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段と
して機能させることを特徴とするプログラム。
【請求項１６】
記憶媒体を読み取る読取部を備え、記憶媒体の所定の領域を読み取ることによって得られるユーザを特定するためのユーザ識別情報を送信するプリンタとネットワークを介して接続する、印刷データをユーザ識別情報と対応付けて管理する印刷管理サーバのプログラムであって、
前記印刷管理サーバを、
ユーザ識別情報と、前記ユーザ識別情報に対応付く携帯端末を特定する情報とを管理する管理手段と、
前記ユーザ識別情報を前記プリンタから受信するユーザ識別情報受信手段と、
前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、
前記印刷データ識別情報を含む一覧情報を送信した携帯端末から、印刷指示された印刷データ識別情報を受信する印刷要求受信手段と、
前記印刷要求受信手段により、前記印刷指示された印刷データ識別情報を受信した後で、前記プリンタから再度、ユーザ識別情報を受信するべく待機する待機手段と、
前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段と
して機能させることを特徴とするプログラム。
【手続補正２】
【補正対象書類名】明細書
【補正対象項目名】発明の名称
【補正方法】変更
【補正の内容】
【発明の名称】印刷システム、印刷管理サーバおよびその制御方法およびプログラム
【手続補正３】
【補正対象書類名】明細書
【補正対象項目名】０００１
【補正方法】変更
【補正の内容】
【０００１】
本発明は、記憶媒体を読み取る読取部を備えるプリンタと、印刷データをユーザ識別情報と対応付けて管理する印刷管理サーバがネットワークを介して接続する印刷システム、印刷管理サーバおよびその制御方法およびプログラムに関する。
【手続補正４】
【補正対象書類名】明細書
【補正対象項目名】０００５
【補正方法】変更
【補正の内容】
【０００５】
そこで、本発明の目的は、携帯端末から出力指示された印刷データに対して、プリンタから再度ユーザ識別情報を受け付けて出力することでセキュアな印刷を行うことができる仕組みを提供することである。
【手続補正５】
【補正対象書類名】明細書
【補正対象項目名】０００６
【補正方法】変更
【補正の内容】
【０００６】
前述した目的を達成するために第１の発明は、記憶媒体を読み取る読取部を備えるプリンタと、印刷データをユーザ識別情報と対応付けて管理する印刷管理サーバがネットワークを介して接続する印刷システムであって、前記プリンタは、記憶媒体の所定の領域を読み取ることによって得られるユーザを特定するためのユーザ識別情報を、前記印刷管理サーバに送信するユーザ識別情報送信手段を備え、前記印刷管理サーバは、ユーザ識別情報と、前記ユーザ識別情報に対応付く携帯端末を特定する情報とを管理する管理手段と、前記ユーザ識別情報を前記プリンタから受信するユーザ識別情報受信手段と、前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、前記印刷データ識別情報を含む一覧情報を送信した携帯端末から、印刷指示された印刷データ識別情報を受信する印刷要求受信手段と、前記印刷要求受信手段により、前記印刷指示された印刷データ識別情報を受信した後で、前記プリンタから再度、ユーザ識別情報を受信するべく待機する待機手段と、前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段とを備えることを特徴とする。
【手続補正６】
【補正対象書類名】明細書
【補正対象項目名】０００７
【補正方法】変更
【補正の内容】
【０００７】
また、前記管理手段は、前記ユーザ識別情報と前記携帯端末と、前記ユーザ識別情報を受信したプリンタとを対応付けて管理することを特徴とし、前記印刷データ出力命令手段は、前記待機手段で待機中に、前記ユーザ識別情報受信手段により前記管理手段で管理するプリンタから再度ユーザ識別情報を受信することで、前記印刷データ識別情報に対応する印刷データの出力命令をすることを特徴とする。
【手続補正７】
【補正対象書類名】明細書
【補正対象項目名】０００８
【補正方法】変更
【補正の内容】
【０００８】
また、前記記憶媒体は、携帯端末に備え、前記ユーザ識別情報送信手段は、前記携帯端末が前記読取部にかざされることで得られるユーザ識別情報を前記印刷管理サーバに送信し、前記印刷データ出力命令手段は、前記ユーザ識別情報受信手段により、前記携帯端末が再度前記読取部にかざされることで得られるユーザ識別情報を、前記プリンタから受信することで前記印刷データ識別情報に対応する印刷データの出力命令をすることを特徴とする。
【手続補正８】
【補正対象書類名】明細書
【補正対象項目名】０００９
【補正方法】変更
【補正の内容】
【０００９】
また、前記待機手段は、前記印刷指示された印刷データ識別情報に対応する印刷データの印刷準備をし、前記印刷データ出力命令手段は、前記印刷準備した印刷データの出力命令をすることを特徴とする。
【手続補正９】
【補正対象書類名】明細書
【補正対象項目名】００１０
【補正方法】変更
【補正の内容】
【００１０】
また、前記印刷準備は、前記プリンタに送信する印刷データを生成することであり、前記印刷管理サーバは、前記印刷データ出力命令手段で出力命令する印刷データの生成が完了した状態である旨をプリンタと携帯端末との少なくとも一つに通知する印刷準備通知手段を備えることを特徴とする。
【手続補正１０】
【補正対象書類名】明細書
【補正対象項目名】００１１
【補正方法】変更
【補正の内容】
【００１１】
また、前記印刷管理サーバは、前記プリンタに表示部があるか否かを判定する第１の判定手段を備え、前記一覧情報送信手段は、前記第１の判定手段により前記プリンタに表示部があると判定された場合、前記印刷データの印刷データ識別情報を含む一覧情報を前記プリンタに送信し、前記表示部がないと判定された場合、前記印刷データの印刷データ識別情報を含む一覧情報を前記携帯端末に送信することを特徴とする。
【手続補正１１】
【補正対象書類名】明細書
【補正対象項目名】００１２
【補正方法】変更
【補正の内容】
【００１２】
また、前記管理手段は、ユーザ識別情報に対応する携帯端末の携帯端末識別情報を管理し、前記印刷管理サーバは、前記携帯端末の携帯端末識別情報に従って、前記携帯端末に前記印刷データの印刷データ識別情報を含む一覧情報を送信するか否かを判定する第２の判定手段を備え、前記一覧情報送信手段は、前記第２の判定手段で携帯端末に送信すると判定される場合には、前記印刷データの印刷データ識別情報を含む一覧情報を前記携帯端末識別情報の携帯端末に送信することを特徴とする。
【手続補正１２】
【補正対象書類名】明細書
【補正対象項目名】００１３
【補正方法】変更
【補正の内容】
【００１３】
また、前記印刷データ出力命令手段は、前記第１の判定手段で前記プリンタに表示部がないと判定され、前記第２の判定手段で前記携帯端末に送信しないと判定される場合、前記一覧情報送信手段で一覧情報を送信することなく、前記ユーザ識別情報に対応付けられている印刷データの出力命令をすることを特徴とする。
【手続補正１３】
【補正対象書類名】明細書
【補正対象項目名】００１４
【補正方法】変更
【補正の内容】
【００１４】
また、前記印刷管理サーバは、未出力の印刷データの数をプリンタと携帯端末との少なくとも一つに通知する未出力印刷データ数通知手段を備えることを特徴とする。
【手続補正１４】
【補正対象書類名】明細書
【補正対象項目名】００１５
【補正方法】変更
【補正の内容】
【００１５】
また、前記印刷管理サーバは、前記印刷データ出力命令手段は、前記プリンタで前記記憶媒体の所定の領域を読み取るたびに、前記ユーザ識別情報受信手段でユーザ識別情報を受信し、当該ユーザ識別情報を受信するたびに、印刷指示された印刷データ識別情報に対応する印刷データの出力命令をすることを特徴とする。
【手続補正１５】
【補正対象書類名】明細書
【補正対象項目名】００１６
【補正方法】変更
【補正の内容】
【００１６】
また、前記印刷管理サーバは、前記待機手段で待機中に、前記ユーザ識別情報受信手段により再度ユーザ識別情報を受信した場合に、当該受信したプリンタと、先に前記ユーザ識別情報受信手段でユーザ識別情報を受信したプリンタとが一致するか否かを判定するプリンタ判定手段とを備え、前記印刷データ出力命令手段は、前記プリンタ判定手段で一致しないと判定される場合に、前記ユーザ識別情報受信手段により再度ユーザ識別情報を受信したプリンタを出力先として、印刷指示された印刷データ識別情報に対応する印刷データの出力命令をすることを特徴とする。
【手続補正１６】
【補正対象書類名】明細書
【補正対象項目名】００１７
【補正方法】変更
【補正の内容】
【００１７】
前述した目的を達成するために第２の発明は、記憶媒体を読み取る読取部を備え、記憶媒体の所定の領域を読み取ることによって得られるユーザを特定するためのユーザ識別情報を送信するプリンタとネットワークを介して接続する、印刷データをユーザ識別情報と対応付けて管理する印刷管理サーバであって、ユーザ識別情報と、前記ユーザ識別情報に対応付く携帯端末を特定する情報とを管理する管理手段と、前記ユーザ識別情報を前記プリンタから受信するユーザ識別情報受信手段と、前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、前記印刷データ識別情報を含む一覧情報を送信した携帯端末から、印刷指示された印刷データ識別情報を受信する印刷要求受信手段と、前記印刷要求受信手段により、前記印刷指示された印刷データ識別情報を受信した後で、前記プリンタから再度、ユーザ識別情報を受信するべく待機する待機手段と、前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段とを備えることを特徴とする。
【手続補正１７】
【補正対象書類名】明細書
【補正対象項目名】００１８
【補正方法】変更
【補正の内容】
【００１８】
前述した目的を達成するために第３の発明は、記憶媒体を読み取る読取部を備えるプリンタと、印刷データをユーザ識別情報と対応付けて管理する印刷管理サーバがネットワークを介して接続する印刷システムの制御方法であって、前記プリンタが、記憶媒体の所定の領域を読み取ることによって得られるユーザを特定するためのユーザ識別情報を、前記印刷管理サーバに送信するユーザ識別情報送信ステップを実行し、前記印刷管理サーバが、ユーザ識別情報と、前記ユーザ識別情報に対応付く携帯端末を特定する情報とを管理する管理ステップと、前記ユーザ識別情報を前記プリンタから受信するユーザ識別情報受信ステップと、前記ユーザ識別情報受信ステップで受信したユーザ識別情報に対応付けられている印刷データの印刷データ識別情報を含む一覧情報を、前記ユーザ識別情報受信ステップで受信したユーザ識別情報と前記管理ステップで管理するユーザ識別情報に従って、前記携帯端末を特定する情報に対応する携帯端末に送信する一覧情報送信ステップと、前記印刷データ識別情報を含む一覧情報を送信した携帯端末から、印刷指示された印刷データ識別情報を受信する印刷要求受信ステップと、前記印刷要求受信ステップにより、前記印刷指示された印刷データ識別情報を受信した後で、前記プリンタから再度、ユーザ識別情報を受信するべく待機する待機ステップと、前記待機ステップで待機し、前記ユーザ識別情報受信ステップにより再度ユーザ識別情報を受信した場合に、前記印刷要求受信ステップで受信した印刷データ識別情報に対応する印刷データを前記プリンタで印刷すべく、出力命令する印刷データ出力命令ステップとを実行することを特徴とする。
また、前述した目的を達成するために第４の発明は、記憶媒体を読み取る読取部を備え、記憶媒体の所定の領域を読み取ることによって得られるユーザを特定するためのユーザ識別情報を送信するプリンタとネットワークを介して接続する、印刷データをユーザ識別情報と対応付けて管理する印刷管理サーバの制御方法であって、印刷管理サーバが、ユーザ識別情報と、前記ユーザ識別情報に対応付く携帯端末を特定する情報とを管理する管理ステップと、前記ユーザ識別情報を前記プリンタから受信するユーザ識別情報受信ステップと、前記ユーザ識別情報受信ステップで受信したユーザ識別情報に対応付けられている印刷データの印刷データ識別情報を含む一覧情報を、前記ユーザ識別情報受信ステップで受信したユーザ識別情報と前記管理ステップで管理するユーザ識別情報に従って、前記携帯端末を特定する情報に対応する携帯端末に送信する一覧情報送信ステップと、前記印刷データ識別情報を含む一覧情報を送信した携帯端末から、印刷指示された印刷データ識別情報を受信する印刷要求受信ステップと、前記印刷要求受信ステップにより、前記印刷指示された印刷データ識別情報を受信した後で、前記プリンタから再度、ユーザ識別情報を受信するべく待機する待機ステップと、前記待機ステップで待機し、前記ユーザ識別情報受信ステップにより再度ユーザ識別情報を受信した場合に、前記印刷要求受信ステップで受信した印刷データ識別情報に対応する印刷データを前記プリンタで印刷すべく、出力命令する印刷データ出力命令ステップとを実行することを特徴とする。
【手続補正１８】
【補正対象書類名】明細書
【補正対象項目名】００１９
【補正方法】変更
【補正の内容】
【００１９】
前述した目的を達成するために第５の発明は、記憶媒体を読み取る読取部を備えるプリンタと、印刷データをユーザ識別情報と対応付けて管理する印刷管理サーバがネットワークを介して接続する印刷システムのプログラムであって、前記プリンタを、記憶媒体の所定の領域を読み取ることによって得られるユーザを特定するためのユーザ識別情報を、前記印刷管理サーバに送信するユーザ識別情報送信手段として機能させ、前記印刷管理サーバを、ユーザ識別情報と、前記ユーザ識別情報に対応付く携帯端末を特定する情報とを管理する管理手段と、前記ユーザ識別情報を前記プリンタから受信するユーザ識別情報受信手段と、前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、前記印刷データ識別情報を含む一覧情報を送信した携帯端末から、印刷指示された印刷データ識別情報を受信する印刷要求受信手段と、前記印刷要求受信手段により、前記印刷指示された印刷データ識別情報を受信した後で、前記プリンタから再度、ユーザ識別情報を受信するべく待機する待機手段と、前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段として機能させることを特徴とする。
また、前述した目的を達成するために第６の発明は、記憶媒体を読み取る読取部を備え、記憶媒体の所定の領域を読み取ることによって得られるユーザを特定するためのユーザ識別情報を送信するプリンタとネットワークを介して接続する、印刷データをユーザ識別情報と対応付けて管理する印刷管理サーバのプログラムであって、前記印刷管理サーバを、ユーザ識別情報と、前記ユーザ識別情報に対応付く携帯端末を特定する情報とを管理する管理手段と、前記ユーザ識別情報を前記プリンタから受信するユーザ識別情報受信手段と、前記ユーザ識別情報受信手段で受信したユーザ識別情報に対応付けられている印刷データの印刷データ識別情報を含む一覧情報を、前記ユーザ識別情報受信手段で受信したユーザ識別情報と前記管理手段で管理するユーザ識別情報に従って、前記携帯端末を特定する情報に対応する携帯端末に送信する一覧情報送信手段と、前記印刷データ識別情報を含む一覧情報を送信した携帯端末から、印刷指示された印刷データ識別情報を受信する印刷要求受信手段と、前記印刷要求受信手段により、前記印刷指示された印刷データ識別情報を受信した後で、前記プリンタから再度、ユーザ識別情報を受信するべく待機する待機手段と、前記待機手段で待機し、前記ユーザ識別情報受信手段により再度ユーザ識別情報を受信した場合に、前記印刷要求受信手段で受信した印刷データ識別情報に対応する印刷データを前記プリンタで印刷すべく、出力命令する印刷データ出力命令手段として機能させることを特徴とする。
【手続補正１９】
【補正対象書類名】明細書
【補正対象項目名】００２０
【補正方法】変更
【補正の内容】
【００２０】
本発明によれば、携帯端末から出力指示された印刷データに対して、プリンタから再度ユーザ識別情報を受け付けて出力することでセキュアな印刷を行うことができる等の効果を奏する。